(57)【要約】【課題】チェーンの蛇行を確実に防止しつつ、構成部材の磨耗等に伴うメンテナンスの手間やコストを軽減する。【解決手段】リンクプレート５が屈伸自在に多数連結された無端状のチェーン３をスプロケットに巻き掛け、並行するチェーン３に渡したエプロン４をチェーン３の長さ方向に配列し、チェーン３の走行に伴い、フレーム１に対してエプロン４を移動させ、エプロン４上に供給した搬送物を搬送するエプロンフィーダにおいて、前記チェーン３のリンクプレート５に蛇行防止片８を延設すると共に、蛇行防止片８の外面に対向して、フレーム１側に蛇行防止ローラ９を軸支し、走行するチェーン３の蛇行防止片８に蛇行防止ローラ９が接触回転して、チェーン３の蛇行が矯正されるようにする。【選択図】図３
2013107720.tif 000002
【特許請求の範囲】
【請求項１】
リンクプレートが屈伸自在に多数連結された無端状のチェーンをスプロケットに巻き掛け、並行するチェーンに渡したエプロンをチェーンの長さ方向に配列し、チェーンの走行に伴い、フレームに対してエプロンを移動させ、エプロン上に供給した搬送物を搬送するエプロンフィーダにおいて、前記チェーンのリンクプレートに蛇行防止片を延設すると共に、蛇行防止片の外面に対向して、フレーム側に蛇行防止ローラを軸支し、走行するチェーンの蛇行防止片に蛇行防止ローラが接触回転して、チェーンの蛇行が矯正されるようにしたことを特徴とするエプロンフィーダ。
【発明の詳細な説明】
【技術分野】
【０００１】
この発明は、破砕された鉱石や塊状の廃棄物等、バラ物の搬送物を搬送するエプロンフィーダであって、チェーンの蛇行に伴うエプロンの左右方向への振れを防止する機構を備えたものに関する。
【背景技術】
【０００２】
例えば、鉱山で採掘した鉱石を搬送するエプロンフィーダは、リンクプレートを屈伸自在に多数連結し、その連結部分にチェーンローラを嵌めた無端状のチェーンをスプロケットに巻き掛け、並行するチェーンに渡したエプロンをチェーンの長さ方向に配列し、チェーンの回転駆動に伴い、フレームに対してエプロンを移動させ、エプロン上に供給した搬送物を搬送する構成とされている。
【０００３】
ところで、このようなエプロンフィーダでは、チェーンが蛇行し、これに伴い、エプロンが進行方向に対し左右に振れて、積載したバラ物がエプロンからこぼれ落ちたり、チェーンがスプロケットから外れてしまうおそれがあった。
【０００４】
その対策として、図５に示すように、チェーン５０のリンクプレート５１に挟まれたチェーンローラ５２の下方において、フレーム側の構造部材５３にガイド板５４を固定し、リンクプレート５１の内側面をガイド板５４に接触させて、チェーン５０の蛇行を制限する構成が知られている。
【０００５】
また、下記特許文献１には、図６に示すように、エプロン５５の幅方向中央寄りの下面に、チェーン５６と並行するＶ字状の突条５７を設け、エプロン５５の下方のフレーム５８側に設けた支持ローラ５９のＶ字状の溝６０に突条５７が嵌まるようにして、エプロン５５の移動に伴う左右方向への振れを防止しようとする構成が記載されている。また、これと同様の構成が、下記特許文献２にも記載されている。
【０００６】
さらに、下記特許文献３には、図７に示すように、エプロン６１を牽引する２本のチェーン６２のうち、一方のチェーン６２のリンクプレート６３に挟まれたチェーンローラ６４に、交互に対向するフランジ６５を設け、このフランジ６５の間にチェーンローラ６４を受けるレール６６を挟んで、チェーン６２の蛇行を制限する構成が記載されている。
【先行技術文献】
【特許文献】
【０００７】
【特許文献１】実公昭５３−３３９８８号公報
【特許文献２】実開昭５６−１５１２０７号公報
【特許文献３】実開昭６３−７１１１５号公報
【発明の概要】
【発明が解決しようとする課題】
【０００８】
しかしながら、図５に示すような構成では、リンクプレート５１の磨耗を防ぐため、ガイド板５４をリンクプレート５１より硬度の低い材質を使用する必要があることから、ガイド板５４が早期に磨耗して、その取替えに手間やコストがかかるという問題がある。
【０００９】
また、図６に示すような構成では、Ｖ字状の突条５７と溝６０との底部から上部へかけての接触面積の差に起因して、突条５７を押し上げる力が作用し、溝６０から突条５７が抜け出すおそれがある。
【００１０】
さらに、図７に示すような構成では、隣り合うチェーンローラ６４の対向するフランジ６５とレール６６との間に遊びを設ける必要があることから、チェーン６２の蛇行を完全には防止できず、フランジ６５がレール６６に乗り上げて脱線するおそれがあるほか、フランジ６５とレール６６の摺接による磨耗も避けることができない。
【００１１】
そこで、この発明は、チェーンの蛇行を確実に防止しつつ、構成部材の磨耗等に伴うメンテナンスの手間やコストを軽減することを課題とする。
【課題を解決するための手段】
【００１２】
上記課題を解決するため、この発明は、リンクプレートが屈伸自在に多数連結された無端状のチェーンをスプロケットに巻き掛け、並行するチェーンに渡したエプロンをチェーンの長さ方向に配列し、チェーンの走行に伴い、フレームに対してエプロンを移動させ、エプロン上に供給した搬送物を搬送するエプロンフィーダにおいて、前記チェーンのリンクプレートに蛇行防止片を延設すると共に、蛇行防止片の外面に対向して、フレーム側に蛇行防止ローラを軸支し、走行するチェーンの蛇行防止片に蛇行防止ローラが接触回転して、チェーンの蛇行が矯正されるようにしたのである。
【発明の効果】
【００１３】
この発明に係るエプロンフィーダでは、蛇行防止片に対して蛇行防止ローラが接触しつつ摺動するのではなく、回転するので、構成部材の摩耗が生じにくく、メンテナンスの手間やコストを削減することができる。
【００１４】
また、蛇行防止片と蛇行防止ローラの間に遊びを殆ど設ける必要がないことから、チェーンの蛇行を確実に防止でき、エプロンの移動に伴う左右方向への振れを効果的に抑制することができる。
【００１５】
さらに、蛇行防止ローラがエプロンの両側部を取り付けるチェーンの外側にあるので、位置調整や取替等のメンテナンスを容易に行うことができる。
【図面の簡単な説明】
【００１６】
【図１】この発明に係るエプロンフィーダの実施形態を示す全体側面図
【図２】同上の要部拡大側面図
【図３】同上の縦方向断面図
【図４】同上の要部拡大平面図
【図５】従来の蛇行防止機構の第１構成例におけるチェーン支持部の拡大図
【図６】同上の第２構成例におけるエプロンフィーダの縦方向断面図
【図７】同上の第３構成例におけるチェーン支持構造の底面図
【発明を実施するための形態】
【００１７】
以下、この発明の実施形態を図１乃至図４に基づいて説明する。
【００１８】
このエプロンフィーダは、フレーム１の両端部に設けたスプロケット２に無端状のチェーン３を巻き掛け、並行する２本のチェーン３に渡したエプロン４をチェーン３の長さ方向に連続的に配列し、チェーン３の回転駆動に伴い、フレーム１に対してエプロン４を移動させ、ホッパからエプロン４の上面に供給した鉱石等の搬送物を排出シュート側へ搬送するものとされている。
【００１９】
フレーム１は、脚部１１により長さ方向の桁部材１２及び幅方向の梁部材１３を支持する構造に組み立てたものとされている。
【００２０】
エプロン４は、キャリヤ側で上向きとなり、リターン側で下向きとなるものであり、キャリア側において、フレーム１の梁部材１３上に設けられたエプロン支持ローラ１４により幅方向の複数箇所で支持されている。
【００２１】
チェーン３は、リンクプレート５を屈伸自在に多数連結し、その連結部分にチェーンローラ６を嵌めたものとされ、リンクプレート５は、チェーンローラ６を挟んでその両側にそれぞれ内外交互に重なっている。
【００２２】
チェーン３のエプロン４寄りに位置するリンクプレート５には、エプロン４の側壁をボルト止めすることにより取り付けるエプロン取付片７がキャリヤ側で上向きとなるように延設され、その反対側のリンクプレート５のうち、外側のものには、蛇行防止片８がキャリヤ側で下向きとなるように延設されている。
【００２３】
また、蛇行防止片８の外面に対向するように、キャリヤ側において、フレーム１の梁部材１３の両側部には、蛇行防止ローラ９がローラ支持部１０を介して設けられている。蛇行防止ローラ９は、縦方向の軸を中心として回転するものとされ、エプロンフィーダの長さ方向に間隔をおいて対向する位置に複数対配置されている。
【００２４】
上記のようなエプロンフィーダでは、排出シュートに臨むヘッド側のスプロケット２を電動機で回転させ、チェーン３を走行させると、走行するチェーン３の蛇行防止片８に蛇行防止ローラ９が接触して従動回転し、対向する蛇行防止ローラ９によりチェーン３の蛇行が矯正される
【００２５】
このように、蛇行防止片８に対して蛇行防止ローラ９が摺動するのではなく、接触状態で回転するので、チェーン３のリンクプレート５やこれに接触する構成部材の摩耗が生じにくく、メンテナンスの手間やコストを削減することができる。
【００２６】
また、蛇行防止片８と蛇行防止ローラ９の間に遊びを殆ど設ける必要がないことから、チェーン３の蛇行を確実に防止でき、エプロン４の移動に伴う左右方向への振れを効果的に抑制することができる。
【００２７】
さらに、蛇行防止ローラ９がエプロン４の両側部を取り付けるチェーン３の外側に配置されているので、位置調整や取替等のメンテナンスを容易に行うことができる。
【００２８】
なお、蛇行防止ローラ９を蛇行防止片８に対し接離させて、蛇行防止ローラ９と蛇行防止片８との間隔を調整できるように、ローラ支持部１０をフレーム１に対してスライド可能な構造としておくとよい。
【符号の説明】
【００２９】
１  フレーム
２  スプロケット
３  チェーン
４  エプロン
５  リンクプレート
６  チェーンローラ
７  エプロン取付片
８  蛇行防止片
９  蛇行防止ローラ
１０  ローラ支持部
１１  脚部
１２  桁部材
１３  梁部材
１４  エプロン支持ローラ
【図１】
2013107720.tif 000003
【図２】
2013107720.tif 000004
【図３】
2013107720.tif 000005
【図４】
2013107720.tif 000006
【図５】
2013107720.tif 000007
【図６】
2013107720.tif 000008
【図７】
2013107720.tif 000009